(57)【要約】      （修正有）【課題】子供が飽きることなく粘土作業に集中し、所望の混色の粘土を簡便かつ適切に得ることができる粘土計量カップを提供する。【解決手段】複数の粘土を配合し、混色の粘土を得る際に使用する粘土計量カップ１０であって、異なる容量の複数の計量凹部１１，１２，１３と、計量凹部１１，１２，１３に隣接して設けられるハート型の凹部１４又は星型の凹部１５のうちの少なくともいずれか一方の凹部と、を備えている。【選択図】図１
0003184928.tif 000002
【実用新案登録請求の範囲】
【請求項１】
複数の粘土を配合し、混色の粘土を得る際に使用する粘土計量カップであって、
異なる容量の複数の計量凹部と、
該計量凹部に隣接して設けられるハート型の凹部又は星型の凹部のうちの少なくともいずれか一方の凹部と、
を備えていることを特徴とする粘土計量カップ。
【請求項２】
前記計量凹部及び前記凹部の開口部周縁にそれぞれ立ち上がり部が突設されていることを特徴とする請求項１に記載の粘土計量カップ。
【考案の詳細な説明】
【技術分野】
【０００１】
本考案は、複数の粘土を配合し、混色の粘土を得る際に使用する、粘土計量カップに関する。
【背景技術】
【０００２】
従来、複数の粘土を配合し、混色の粘土を得る際に、どの色の粘土をどの程度混ぜればよいのか、分量の加減が困難であった。特に、子供の場合、分量を間違えて、所望の混色の粘土が得られないことが多々あったが、簡便に適切な分量の粘土を量ることのできる粘土計量カップが存在しなかった。
【０００３】
そこで、この種の問題を解決するため、本出願人は、容量の異なる複数の直方体形状の計量凹部が表面に形成された粘土計量カップを考案している（例えば、特許文献１参照）。
【先行技術文献】
【特許文献】
【０００４】
【特許文献１】実用新案登録第３１７２１１１号公報
【考案の概要】
【考案が解決しようとする課題】
【０００５】
しかしながら、上記した特許文献１に記載の粘土計量カップは、複数の計量凹部の形状がいずれも単純な直方体形状を有しているため、特に、子供が関心を示し難く、粘土作業に飽き易いといった問題が生じていた。
【０００６】
本考案は、上記した課題を解決すべくなされたものであり、特に、子供が興味を持ち、飽きることなく粘土作業に集中することのできる粘土計量カップを提供することを目的とするものである。
【課題を解決するための手段】
【０００７】
上記した目的を達成するため、本考案は、複数の粘土を配合し、混色の粘土を得る際に使用する粘土計量カップであって、異なる容量の複数の計量凹部と、該計量凹部に隣接して設けられるハート型の凹部又は星型の凹部のうちの少なくともいずれか一方の凹部と、を備えていることを特徴とする。
【０００８】
この特徴によれば、子供が興味を持ち、飽きることなく粘土作業に集中し、簡便に適切な分量の粘土を量り、混色の粘土を簡便かつ適切に得ることができる。
【０００９】
また、本考案は、前記計量凹部及び前記凹部の開口部周縁にそれぞれ立ち上がり部が突設されていることを特徴とする。
【００１０】
この特徴によれば、計量凹部や凹部に粘土を入れた後、ヘラ等を立ち上がり部に当接させることで、正確な分量の粘土を量り取ることができると共に、綺麗なハート型又は星型の粘土を形成することができる。
【考案の効果】
【００１１】
本考案によれば、特に、子供が興味を持ち、飽きることなく粘土作業に集中することができ、混色の粘土を簡便かつ適切に得ることができる等、種々の優れた効果を得ることができる。
【図面の簡単な説明】
【００１２】
【図１】本考案の実施の形態に係る粘土計量カップを示す斜視図である。
【考案を実施するための形態】
【００１３】
以下、図面を参照しつつ、本考案の実施の形態に係る粘土計量カップ１０について説明する。
【００１４】
粘土計量カップ１０は粘土セットの一部品であり、この粘土セットは、粘土計量カップ１０と、ヘラ、粘土シート、テキストなどの付属品（図示省略）の他、粘土計量カップ１０とそれらの付属品を収納するケース（図示省略）と、を備えて構成されている。
【００１５】
図１に示されているように、粘土計量カップ１０は、ポリプロピレン製で、平面視で横長矩形状の外形を有している。
【００１６】
粘土計量カップ１０の表面には、第１の計量凹部１１、第２の計量凹部１２、及び第３の計量凹部１３のそれぞれ容量の異なる３個の計量凹部と、該計量凹部に隣接して設けられるハート型の凹部１４及び星型の凹部１５と、が形成されている。各計量凹部１１，１２，１３は略直方体形状を有しており、各計量凹部１１，１２，１３及び各凹部１４，１５の開口部周縁には立ち上がり部２１，２２，２３，２４，２５がそれぞれ突設されている。
【００１７】
計量凹部１１，１２，１３のうち、第一の計量凹部１１が最も容量が小さく、第二の計量凹部１２は、第一の計量凹部１１の容量の２倍の容量を有し、第三の計量凹部１３は、第二の計量凹部１２の容量の２倍の容量を有している。
【００１８】
また、粘土計量カップ１０の表面には、各計量凹部１１，１２，１３の近傍に該各計量凹部１１，１２，１３を指定する印３１，３２，３３が記されている。この場合、第一の計量凹部１１を指定する印３１として数字の「１」が記され、第二の計量凹部１２を指定する印３２として数字の「２」が記され、第三の計量凹部１３を指定する印３３として数字の「３」が記されている。
【００１９】
前記ヘラは、特に図示しないが、ポリプロピレン製であり、粘土をこねたりする時や、計量凹部１１，１２，１３や凹部１４，１５に入れた粘土を量り取る時などに使用されるものである。
【００２０】
前記カバー及び前記粘土シートは、特に図示しないが、いずれもポリエチレン製であり、前記粘土シートは、粘土を使用する際に、机等の上に敷かれ、粘土が机等の上に直接置かれて該机等が汚されるのを防止するためのものである。
【００２１】
前記テキストは、粘土を使用する際の注意事項、粘土計量カップ１０の使用方法、所定の混色の粘土の作り方、粘土細工の作り方などを記載した説明書である。
【００２２】
上記した構成を備えた粘土計量カップ１０を使用する場合、前記テキスト中の所定の混色の粘土の作り方の説明を参照して、各計量凹部１１，１２，１３に所定の配色の粘土を入れて計量した後、前記ヘラにより各計量凹部１１，１２，１３から前記所定の配色の粘土をそれぞれ取り出して混ぜることにより、所定の混色の粘土を得ることができる。
【００２３】
このように本考案の実施の形態に係る粘土計量カップ１０には、それぞれ容量の異なる３個の計量凹部１１，１２，１３が設けられているため、適量の粘土を混ぜ合わせ、所望の混色の粘土を得ることができると共に、多様な色の粘土を得ることができる。
【００２４】
また、第二の計量凹部１２の容量が第一の計量凹部１１の容量の２倍で、第三の計量凹部１３の容量が第二の計量凹部１２の容量の２倍であるため、簡単且つ確実に多様な色の粘土を得ることができる。
【００２５】
さらに、計量凹部１１，１２，１３の他に、ハート型や星型の凹部１４，１５が形成されているため、子供が粘土作業に興味を持ち、飽きることなく作業に集中することができる。
【００２６】
さらに、計量凹部１１，１２，１３及び凹部１４，１５の周囲に立ち上がり部２１，２２，２３，２４，２５がそれぞれ形成されているため、前記ヘラで粘土を量り取る際に、粘土の取りこぼしがなく、きれいに量り取ることができる。
【００２７】
なお、上記した本発明の実施の形態の説明では、計量凹部１１，１２，１３に隣接して、ハート型の凹部１４と星型の凹部１５の両方の凹部を設けた場合について説明したが、これは単なる例示に過ぎず、ハート型の凹部１４又は星型の凹部１５のうちの少なくともいずれか一方の凹部を設けてもよく、また、凹部１４，１５の設置数も任意の数でよい。
【００２８】
また、各計量凹部１１，１２，１３の容量の比は、上記した比（第一の計量凹部１１の容量：第二の計量凹部１２の容量：第三の計量凹部１３の容量＝１：２：４）に限定されるものではなく、混色を実現できる比であれば、任意の比が可能であり、さらに、ハート型の凹部１４や星型の凹部１５の容量を、例えば、第二の計量凹部１２と同一容量とする等、計量凹部１１，１２，１３の容量に対して所定割合に設定してもよい。
【００２９】
さらに、この粘土計量カップ１０に用いる粘土は、特に限定されないが、米粉粘土が好適に使用できる。
【符号の説明】
【００３０】
１０  粘土計量カップ
１１  第一の計量凹部
１２  第二の計量凹部
１３  第三の計量凹部
１４  ハート型の凹部
１５  星型の凹部
２１  第一の計量凹部の立ち上がり部
２２  第二の計量凹部の立ち上がり部
２３  第三の計量凹部の立ち上がり部
２４  ハート型の凹部の立ち上がり部
２５  星型の凹部の立ち上がり部
【図１】
0003184928.tif 000003